(57)【要約】【課題】使用に便利な電子装置を提供する。【解決手段】ボディとイヤホンとを含む電子装置が提供される。ボディの一端がイヤプラグ収納開口および電力供給端子を有する。イヤホンがイヤプラグならびに充電端子を有する。イヤプラグがイヤプラグ収納開口に収納されるとともに、充電端子が電力供給端子に電気接続される。【選択図】図１
2011071953.tif 000002
【特許請求の範囲】
【請求項１】
一端にイヤプラグ収納開口および電力供給端子を有するボディと；
イヤプラグならびに充電端子を有し、前記イヤプラグが前記イヤプラグ収納開口に収納されるとともに、前記充電端子が前記電力供給端子に電気的に接続されるイヤホンと
を備える電子装置。
【請求項２】
前記ボディの前記一端が、第１固定構造を有し、かつ前記第１固定構造が前記ボディに対する前記イヤホンの回転または移動を制限するために使用されるものである請求項１記載の電子装置。
【請求項３】
前記第１固定構造が固定スロットであるとともに、前記イヤホンが前記固定スロットに支えられるものである請求項２記載の電子装置。
【請求項４】
前記イヤホンが更に第２固定構造を有し、かつ前記第１固定構造および前記第２固定構造の形状が相補的であり、前記第１固定構造および前記第２固定構造が相互に嵌合する請求項２記載の電子装置。
【請求項５】
前記第１固定構造がピンであり、前記第２固定構造が金属片である請求項４記載の電子装置。
【請求項６】
前記ピンが前記電力供給端子で、前記金属片が前記充電端子である請求項５記載の電子装置。
【発明の詳細な説明】
【技術分野】
【０００１】
この発明は、電子装置に関する。とりわけ、この発明は、使用に便利な電子装置に関する。
【背景技術】
【０００２】
技術の発展に伴い、より便利な設備が創出されている。移動電話・小型ノートブックコンピューターおよびＭＰ３プレーヤーが発明されるとともに普及し、人々は、歩きながら、移動電話を使用して様々な事柄を処理する、または、ＭＰ３プレーヤーを介して音楽を楽しむことができる。
【０００３】
移動電話を例にあげて言えば、ユーザーが移動電話を使用して人と接触する時、ユーザーは、通常、彼／彼女の手で移動電話を持って、イヤホンおよび受話器が彼／彼女の耳および口に位置し、ユーザーが相手からの音声を明瞭に聴くことができるとともに、彼／彼女の音声を相手へに送信できる。しかし、ユーザーは、なお彼／彼女の手を使用して移動電話を把持しなければならず、もしユーザーが運転中である、またはユーザーの両手が使えなければ、ユーザーが移動電話を使用するのに不便である。
【０００４】
現在、ワイヤレス・イヤホン（例えば、ブルートゥース・イヤホン）がオーディオ情報を受信するために広く利用されている。ブルートゥース・イヤホンは、ワイヤレス近接（approach）方式で移動電話と通信するため、移動電話およびブルートゥース・イヤホン間で伝送線に接続する必要がないとともに、ブルートゥース・イヤホンでユーザーの耳に直接聴取できる。従って、ブルートゥース・イヤホンが利用されている時、ユーザーは、移動電話を手で持つ必要がない。
【発明の概要】
【発明が解決しようとする課題】
【０００５】
ブルートゥース・イヤホンが小型かつ軽量という利点を有するため、ブルートゥース・イヤホンを使用しない時、ユーザーは、キャリーバッグに入れたり他の場所に置いたりすることがある。しかし、ユーザーがブルートゥース・イヤホンを使用したい時、ユーザーは、キャリーバッグからそれを引っかき回して捜しださねばならず、使用に不便なものとなる。また、ユーザーがキャリーバッグから別なものを取り出す時、ブルートゥース・イヤホンが不注意にも同時にキャリーバッグから落ちて紛失するか、またはブルートゥース・イヤホンがうっかりどこかに置き忘れられる。さらに、ブルートゥース・イヤホンのサイズが非常に小さいため、そのバッテリーパワーもおそらく不十分であるとともに、バッテリーの交換も難しい。従って、ブルートゥース・イヤホンの使用には、上記したような非利便性がある。
【０００６】
そこで、この発明の目的は、使用に便利な電子装置を提供することにある。
【課題を解決するための手段】
【０００７】
この発明は、ボディとイヤホンとを含む電子装置を提供する。ボディの一端がイヤプラグ収納開口および電力供給端子を有する。イヤホンがイヤプラグならびに充電端子を有する。イヤプラグがイヤプラグ収納開口に収納されるとともに、充電端子が電力供給端子に電気的に接続される。
【０００８】
この発明の実施形態中、ボディの一端が、第１固定構造を有し、かつ第１固定構造がボディに対するイヤホンの回転または移動を制限するために使用される。
【０００９】
この発明の実施形態中、第１固定構造が固定スロットであるとともに、イヤホンが固定スロットに支えられるものである。
【００１０】
この発明の実施形態中、イヤホンが第２固定構造を有する。第１固定構造および第２固定構造の形状が相補的であり、第１固定構造および第２固定構造が相互に嵌合する。第１固定構造がピンであり、第２固定構造が金属片である。ピンが電力供給端子で、金属片が充電端子である。
【００１１】
この発明の電子装置に従い、イヤホンが使用されない時、イヤホンおよびボディが一緒に組み合わされて、イヤホンの紛失を防止する。また、イヤホンがボディの電力で充電されて、イヤホンの電池を取り替える必要がない。従って、電子装置が使用に便利である。
【発明の効果】
【００１２】
つまり、この発明の電子装置は、イヤホンおよびボディが一緒に組み立てられて、イヤホンの不注意な置き方によるイヤホンの紛失を回避する。また、ボディが電力供給端子を有しているとともに、イヤホンが充電端子を有しているため、イヤホンとボディとが組み合わせられている時、イヤホンは、ボディの電力により充電されることができる。それにより、電子装置が使用に便利である。
【図面の簡単な説明】
【００１３】
【図１】この発明の実施形態にかかる電子装置を示す概略的な斜視図である。
【図２】この発明の別な実施形態にかかる電子装置を示す概略的な斜視図である。
【図３】この発明の更に別な実施形態にかかる電子装置を示す概略的な斜視図である。
【発明を実施するための形態】
【００１４】
以下、この発明を実施するための形態を図面に基づいて説明する。
図１は、この発明の実施形態にかかる電子装置を示す概略的な斜視図である。図１において、電子装置１００がボディ１１０とイヤホン１２０とを含む。ボディ１１０は、例えば、移動電話・小型ノートブックコンピューターまたはＭＰ３プレーヤー等であるとともに、イヤホン１２０は、例えば、物質的な伝送線を必要としないブルートゥースのようなワイヤレス・イヤホンである。ボディ１１０の一端１１２がイヤプラグ収納開口１１４と電力供給端子１１６とを有する。イヤホン１２０がイヤプラグ１２２と充電端子１２４とを有する。イヤプラグ１２２がイヤプラグ収納開口１１４に収容され、かつ充電端子１２４が電力供給端子１１６に電気接続される。イヤホン１２０は、イヤプラグ収納開口１１４中にイヤプラグ１２２を収納することによってボディ１１０と組み合わせることができ、イヤホン１２０の不注意な置き方のために見つけることができないイヤプラグ１２２と言うような状況を防止する。また、イヤホン１２０は、またボディ１１０の電力によって充電されることができる。
【００１５】
この実施形態中、一端１１２は、更に、第１固定構造１１８を有するとともに、イヤホン１２０が第２固定構造１２６を有し、そのうち、第１固定構造１１８および第２固定構造１２６の形状が相補的であるから、第１固定構造１１８および第２固定構造１２６が相互に嵌合（fit）できる。例えば、第１固定構造１１８は、凸柱（convex column）であることができるとともに、第２固定構造１２６は、凹切欠き部（concave notch）であることができる。
【００１６】
図２は、この発明の別な実施形態にかかる電子装置を示す概略的な斜視図である。図２において、電力供給端子１１６‘および充電端子１２４’がそれぞれピンまたは金属片であることができる。例えば、電力供給端子１１６‘は、ピンであることができるとともに、充電端子１２４’は、イヤホン１２０‘内部へ埋められた金属片であることができる。ピンが金属片を有する凹部に挿入されて金属片に電気接続される時、ピンおよび金属片が相互に嵌合された第１および第２固定構造と見なすことができ、それによって、ボディ１１０’に対するイヤホン１２０‘の回転または移動が制限されるだけでなく、イヤホン１２０‘がピンおよび金属片間の電気接続のため充電できる。注意すべきは、充電端子１２４’が、イヤホン１２０‘より突出したピンとしてよりも、イヤホン１２０‘内部に埋め込まれた金属片として設計される理由は、もし充電端子１２４’がイヤホン１２０‘より突出したピンとして設計されれば、ユーザーがピンにより刺されることである。
【００１７】
図３は、この発明の更に別な実施形態にかかる電子装置を示す概略的な斜視図である。図３において、電力供給端子１１６“および充電端子１２４”が共に金属片であることができる。ボディ１１０“の一端１１２”に位置する第１固定構造１１８“が固定スロットであるとともに、イヤホン１２０”が固定スロットに支えられて、第１固定構造１１８“が、ボディ１１０“に対するイヤホン１２０”の回転ならびに移動を制限できる。固定スロットのサイズは、実際の必要性に従って決定される。
【００１８】
上記実施形態中、イヤホンのカラーをボディのカラーと同一にすることができ、電子装置が統合的な外観を有するものとなる。あるいは、イヤホンおよびボディのカラーが相違すると、ユーザーがイヤホンおよびボディを便利に識別できる。
【００１９】
以上のごとく、この発明を実施形態により開示したが、もとより、この発明を限定するためのものではなく、当業者であれば容易に理解できるように、この発明の技術思想の範囲内において、適当な変更ならびに修正が当然なされうるものであるから、その特許権保護の範囲は、特許請求の範囲および、それと均等な領域を基準として定めなければならない。
【符号の説明】
【００２０】
１００  電子装置
１１０，１１０‘，１１０“  ボディ
１１２  一端
１１４  イヤプラグ収納開口
１１６，１１６‘，１１６“  電力供給端子
１１８，１１８‘，１１８“  第１固定構造
１２０，１２０‘、１２０“  イヤホン
１２２  イヤプラグ
１２４，１２４‘，１２４“  充電端子
１２６  第２固定構造
【図１】
2011071953.tif 000003
【図２】
2011071953.tif 000004
【図３】
2011071953.tif 000005
【外国語明細書】
2011071953000001.pdf